(57)【要約】      （修正有）【課題】袖又は肩に形成されるポケット入り口に対して、衣服の外観に大きな影響を与えないフラップを設けた衣服を提供する。【解決手段】ポケット３の幅方向に延びる切り返し線を境に、袖山側の袖表面を形成する袖山側生地６と、袖口側の袖表面を形成し、かつ、切り返し線から袖山側では袖山側生地６の裏側に配置される袖口側生地７とを有する。ポケット３は袖口側生地７の裏側に設けられ、かつ、ポケット３の入り口３０は切り返し線に沿って若しくは袖山側生地６に隠れるように設けられている。袖山側生地６は、ポケット３の入り口３０の左右近くまでは、切り返し線に沿って袖口側生地７に縫い付けられ、ポケット３の入り口３０付近では入り口３０を迂回するように袖口側生地７に縫い付けられている。【選択図】図４
0003225154.tif 000002
【実用新案登録請求の範囲】
【請求項１】
袖にポケットが設けられた衣服であって、
前記ポケットの幅方向に延びる切り返し線を境に、袖山側の袖表面を形成する袖山側生地と、袖口側の袖表面を形成し、かつ、前記切り返し線から袖山側では前記袖山側生地の裏側に配置される袖口側生地とを有し、
前記ポケットは袖口側生地の裏側に設けられ、かつ、前記ポケットの入り口は前記切り返し線に沿って若しくは袖山側生地に隠れるように設けられ、
前記袖山側生地は、前記ポケットの入り口の左右近くまでは、前記切り返し線に沿って袖口側生地に縫い付けられ、前記ポケットの入り口では当該入り口を迂回するように袖口側生地に縫い付けられていることを特徴とする衣服。
【請求項２】
請求項１に記載の衣服において、
前記袖山側生地と袖口側生地とは、同一色若しくは同一柄の生地であることを特徴とする衣服。
【考案の詳細な説明】
【技術分野】
【０００１】
本考案は、袖に設けたポケットにフラップを付けた衣服に関する。
【背景技術】
【０００２】
万年筆、ボールペン、サインペン等の筆記具を衣服のポケットに差し込んで携帯することが多い。筆記具をポケットに差し込んで携帯する場合、筆記具の頭の部分をポケットから覗かせておくと、筆記具の頭を掴んで直ぐにポケットから取り出せるので都合がよい。一方で、筆記具の頭の部分が服から出ているので、何かの拍子に引っ掛けて外に飛び出してしまうことがある。この対策のために、例えば、特許文献１においては、胸部若しくは下側両サイドのポケット内側生地の上端口部寄りにペン差し穴を形成した衣服が開示されている。同文献によれば、筆記具の全体がポケット内に収容されることにより、ペンの紛失を防止することができる。一方、衣服には、袖又は肩にポケットが形成されることがある。袖又は肩においては、ポケットの長さ、容量が物理的に制限され、胸部若しくは下側両サイドのポケット内側生地にペン差し穴を設けるような構成は難しい。
【０００３】
特許文献２には、肩にポケットが形成された作業服が示されている。同文献の図１には、肩のポケットの入り口にフラップ片が付けられた衣服が開示されている。同文献には、収容物として筆記具は明示されてはいないが、ポケットから収容物が落下しないようになっている。ポケットにフラップを設ける場合、短冊状の別生地をポケットの上方に縫着し、ボタン留めできるようにする構成が、特許文献３の図７に開示されている。
【先行技術文献】
【特許文献】
【０００４】
【特許文献１】実開昭６２−６３１９号公報
【特許文献２】実用新案登録第３０４４７７５号公報
【特許文献２】実用新案登録第３１９６９２０号公報
【考案の概要】
【考案が解決しようとする課題】
【０００５】
袖又は肩のポケットは、腕を持ち上げると天地が入れ替わり、また、腕を回すと収容物に遠心力が加わる。よって、一般的にフラップが取り付けられ、かつボタン等の留め具により、入り口が保護されている。このようなフラップは、短冊型のフラップ生地が袖の生地に縫着されているのであり、縫い着け部分は生地が重なる。袖の生地とフラップの生地に段差ができている。この段差は、明らかにフラップが取り付けられていることが分かるため、衣服の外観に影響を与えている。
そこで、本考案は、袖又は肩に形成されるポケット入り口に対して、衣服の外観に大きな影響を与えないフラップを設けた衣服を提供することを目的とする。
【課題を解決するための手段】
【０００６】
上記目的を達成するために、本考案の袖にポケットが設けられた衣服は、
前記ポケットの幅方向に延びる切り返し線を境に、袖山側の袖表面を形成する袖山側生地と、袖口側の袖表面を形成し、かつ、前記切り返し線から袖山側では前記袖山側生地の裏側に配置される袖口側生地とを有し、
前記ポケットは袖口側生地の裏側に設けられ、かつ、前記ポケットの入り口は前記切り返し線に沿って若しくは袖山側生地に隠れるように設けられ、
前記袖山側生地は、前記ポケットの入り口の左右近くまでは、前記切り返し線に沿って袖口側生地に縫い付けられ、前記ポケットの入り口では当該入り口を迂回するように袖口側生地に縫い付けられていることを特徴とする。
【考案の効果】
【０００７】
この考案によれば、フラップは、袖の表面を形成する袖山側生地の一部となり、袖山側生地との間では段差が生じていない。よって、フラップは、袖又は肩に形成されるポケットのポケット入り口に対して、衣服の外観に大きな影響を与えることがないという効果を有する。ポケットの入り口が、袖山側生地と袖口側生地の境界とほぼ重なるため、布の切り換えという意匠の中に、ポケットの入り口の存在が埋没するデザインになる。
【図面の簡単な説明】
【０００８】
【図１】本考案に係るポケット付きの衣服の側面図である。
【図２】袖部分の展開図で、図２Ａは表側、図２Ｂは裏側である。
【図３】袖部分のフラップ部分の構造の説明図で、図３Ａは袖とフラップ生地の説明図、図３Ｂは袖の生地とフラップ生地を縫い合わせた説明図、図３Ｃはフラップ生地を折り返してフラップを形成した説明図である。
【図４】ポケット部分の一部破断拡大説明図で、図４Ａはポケット部分の表側、図４Ｂは図４ＡのＸ−Ｘ断面図で、図４Ｃは図４ＡのＹ−Ｙ断面図で、図４Ｄは図４ＡのＺ−Ｚ断面図である。
【図５】ペンをポケットに差した状態のポケット部分の拡大説明図である。
【考案を実施するための形態】
【０００９】
以下、本考案に係る作業服の一実施の形態について、図面を用いて説明する。
図１において、本考案に係るポケット付きの衣服１は、袖２、ポケット３（図では、ポケット３の入り口３０の外側に付けられた片玉縁３１のみ現れている。図４参照）、フラップ４、片玉縁３１を有する。ポケット３は、袖２に設けられている。袖２は、ポケット３の周辺は、肩の付け根の袖山側と、袖口側の２つの生地６、７からなるような外観を有している。フラップ４は、生地６の一部である。
【００１０】
図２は袖２の展開図で、図２Ａは表側、図２Ｂは裏側である。図において、２ａは袖山、２ｂは前袖下線、２ｃは後袖下線、２ｄは袖口を示している。図２Ａにおいて、生地６は袖山２ａ側に、生地７は袖口２ｄ側において、袖２の表面に現れている。以降、生地６を袖山側生地６と、生地７を袖口側生地７と称する。袖山側生地６、袖口側生地７は同一色、若しくは同一柄の生地である。袖山側生地６と袖口側生地７との切り返し線ＢＤはほぼ直線状であり、切り返し線ＢＤに沿ってポケット３の入り口３０が設けられている。切り返し線ＢＤはポケット３の幅方向ｗに沿っており、必ずしも入り口３０と完全に平行である必要はない。図４を用いて後で説明するように、ポケット３の入り口３０は切り返し線ＢＤの袖山側に設けられ、図２Ａにおいては袖山側生地６の下側に隠れている。ポケット３の入り口３０に設けられた片玉縁３１は、その下側が、表面に袖山側生地６に重なって見えている。
【００１１】
図２Ｂにおいて、ポケット３のポケット袋３２が袖口側生地７に縫着されている。切り返し線ＢＤは、袖口側生地７の裏側で見えないが、図２Ｂでは、一点鎖線にて示している。図中、破線は、袖山側生地６が袖口側生地７に縫い付けられている縫い線ＳＬを示している。縫い線ＳＬは、切り返し線ＢＤに沿った縫い線ＳＬ１、ＳＬ２とポケット３の入り口を迂回するように設けられた縫い線ＳＬ３を有しており、縫い線ＳＬ３と一点鎖線で囲われた範囲において、袖口側生地７に対して被さるフラップ４を形成している。また、フラップ４はポケット袋３２と一部重なる位置に形成されている。
【００１２】
図３は袖のフラップ部分の構造の説明図である。図３Ａにおいて、袖山側生地６は、袖２の袖山側の表面に現れる生地である。袖口側生地７は、袖２の袖口側の表面に現れる生地であり、片玉縁３１を有するポケット３（図示せず）が設けられている。袖山側生地６は、図示の一点鎖線（この線が、袖２の完成時に切り返し線ＢＤになる）の上側では袖山２ａと袖山側の前袖下線２ｂの一部、切り返し線ＢＤより下側では袖山側の前袖下線２ｂの一部、袖山２ａの一部、そして、フラップ４を作るのに十分な代を確保する線分ＣＴで囲まれている。
【００１３】
図３Ｂにおいて、袖山側生地６と袖口側生地７の袖山２ａを合わせて袖山側生地６を切り返し線ＢＤの位置に沿って縫い線ＳＬ（ＳＬ１、ＳＬ２、ＳＬ３）において縫着するが、このとき、切り返し線ＢＤがポケット３の入り口３０に重なる左右の範囲ＥＸについては、切り返し線ＢＤに沿っては袖山側生地６と袖口側生地７は縫着されない。この結果、縫い線ＳＬのうち、範囲ＥＸの除く部分の縫い線ＳＬ１、ＳＬ２が形成される。
【００１４】
図３Ｃにおいて、袖山側生地６を切り返し線ＢＤで折り返し、重なった袖山側生地６の部分及び袖口側生地７を貫通するように縫着して、縫い線ＳＬのポケット３の入り口３０を迂回するような縫い線ＳＬ３が形成される。縫い線ＳＬ３で囲まれた袖山側生地６の部分が、フラップ４である。
【００１５】
図４Ａは、ポケット部分の一部破断拡大説明図である。切り返し線ＢＤに沿って縫い線ＳＬ１、ＳＬ２で袖山側生地６が袖口側生地７に縫い合わせされたことにより、フラップ４はポケット３の入り口３０を覆っている。また、切り返し線ＢＤから袖口側生地７は、袖山側生地６の裏側に配置される。フラップ４の裏側は、袖口側生地７に対面しており、かつ縫い線ＳＬ３で閉じられるため、ポケットに収納するペンの上部を収める部分を形成している。
【００１６】
具体的には縫い線ＳＬ３は、片玉縁３１の左辺より左側へ０．５ｃｍから３ｃｍの位置（距離Ｌ１）から切り返し線ＢＤを離れて斜め右上に上昇し、片玉縁３１の上辺から上方へ３ｃｍから５ｃｍの位置（距離Ｌ２）で切り返し線ＢＤと並行に延び、ポケット３の片玉縁３１の左端より左側へ０．５ｃｍから３ｃｍの位置（距離Ｌ３）に向けて斜め左に向けて下降する形状をしている。図４Ｂ、図４Ｃ、図４Ｄにおいて、Ｘ−Ｘ断面、Ｙ−Ｙ断面及びＺ−Ｚ断面が示されている。各図において、右側は袖２の表側である。フラップ４が、僅かではあるがポケット３の入り口３０を塞いでいる。
【００１７】
図５には、ペン８をポケット３に差した状態のポケット部分が示されている。フラップ４を開いてペン８をポケット３に差し、ペン８のクリップを入り口３０に挟んで、ペン８の上部はフラップ４内に収められている。
【００１８】
本実施例によれば、フラップ４は、袖２の表面を形成する袖山側生地６の一部であり、袖山側生地６との間では段差が生じていない。よって、袖又は肩に形成されたポケット入り口３０に対して、衣服の外観に大きな影響を与えることがないという効果を有する。ポケット３の入り口３０が、袖山側生地６と袖口側生地７の切り返し線ＢＤとほぼ重なるため、布の切り換えという意匠の中に、ポケット３の入り口３０の存在が埋没するデザインになる。また、フラップ４に商品ロゴが記載されたワッペンを付着すれば、縫い線ＳＬ３は、ワッペンの枠のように見え、その存在感はさらに薄まる。
【００１９】
尚、本実施例においては、袖山側生地６、袖口側生地７は同一色、若しくは同一柄の生地を用いたが、生地の色、柄を替えても良い。また、複数の生地をつぎはぎしたパッチワークのような布でもよい。また、縫い線ＳＬ３は、台形の側辺と上底を繋げたような形状であったが、他の形状例えば、円弧形でも良い。また、本実施例では、ポケット３の入り口３０は、袖山側生地６の下側に隠れているが、切り返し線ＢＤに沿って設けても良い。この場合、袖２の外観は、入り口３０と切り返し線ＢＤとがほぼ一体的に、見えるようになる。
【符号の説明】
【００２０】
１     衣服
２     袖
２ａ     袖山
２ｂ     前袖下線
２ｃ     後袖下線
２ｄ     袖口
３     ポケット
４     フラップ
６     袖山側生地
７     袖口側生地
８     ペン
３０     入り口
３１     片玉縁
３２     ポケット袋
【図１】
0003225154.tif 000003
【図２】
0003225154.tif 000004
【図３】
0003225154.tif 000005
【図４】
0003225154.tif 000006
【図５】
0003225154.tif 000007